(57)【要約】【課題】  椅子にカバー本体を取り付けることによって店内が明るい雰囲気になり、装飾性かつ興趣に富んだゲーム機用椅子のカバーを提供する。【解決手段】  ゲーム機用椅子３０の背もたれ３１に取り付ける袋状のカバー本体１０と、このカバー本体１０の背面側に設けた広告用のチラシ２５を収納するポケット１５と、前記カバー本体１０の外縁１３に沿って配置したＬＥＤ２１，２１・・と、このＬＥＤ２１，２１・・を覆う透光性の保護体２２からなる。【選択図】図２
2008212394.tif 000002
【特許請求の範囲】
【請求項１】
ゲーム機用椅子の背もたれに取り付けるカバー本体と、このカバー本体の背面側に設けた各種資料を収納するポケットと、前記カバー本体の外縁に沿って配置した発光体と、この発光体を覆う透光性材質によって構成した保護体とからなるゲーム機用椅子のカバー。
【発明の詳細な説明】
【技術分野】
【０００１】
本発明は、パチンコ、スロットマシーン等の各種ゲーム機を操作する際に用いる椅子のカバーに関するものである。
【背景技術】
【０００２】
従来よりパチンコ店等ではパチンコ台あるいはスロットマシーン台用の椅子にカバーをかけていた。このカバーには必要に応じて背面側に透明のポケットを設けることもあり、その中に広告宣伝資料を入れていた。
【０００３】
しかし、これら従来の椅子カバーは主として椅子の汚れを防ぐ目的で使用されていた。
また背面側のポケットに入れた広告宣伝資料もあまり目立つことはなく、特に店内が暗い場合には宣伝効果は殆どないのが現状であった。
【発明の開示】
【発明が解決しようとする課題】
【０００４】
本発明は上記の点に鑑みなされたものであり、椅子にカバーを取り付けることによって店内が明るい雰囲気になると共に宣伝広告資料も読みやすくなる、装飾性かつ興趣に富んだゲーム機用椅子のカバーを提供するものである。
【課題を解決するための手段】
【０００５】
本発明の要旨とするところは、ゲーム機用椅子の背もたれに取り付けるカバー本体と、このカバー本体の背面側に設けた各種資料を収納するポケットと、前記カバー本体の外縁に沿って配置した発光体と、この発光体を覆う透光性材質によって構成した保護体とからなるゲーム機用椅子のカバーである。
【発明の効果】
【０００６】
本発明は上記の如き構成であるため、椅子にカバーを取り付けると、椅子の外縁で発光体が点灯するためカバー背面の広告が読みやすくなり、かつ店内を明るい雰囲気にする。さらに店内だけでなく店外からも人目を引きつけて店を目立たせるのことができ、広告作用を有して装飾性かつ興趣に富むという効果を奏するのである。
【発明を実施するための最良の形態】
【０００７】
本発明を実施するための最良の形態は、ゲーム機用の椅子の背もたれに取り付けるための袋状のカバー本体を構成し、このカバー本体の背面側に広告宣伝資料を収納する透明なポケットを構成すると共に、前記カバー本体の外縁に沿って複数のＬＥＤを配置し、このＬＥＤを上から覆う透明ビニール製の保護体を構成したものである。
【０００８】
以下、本発明の第１実施形態を図に基づいて説明する。
図１は第１実施形態の正面図、図２は同背面図、図３及び図４は使用態様を示す斜視図である。
【０００９】
本実施形態のカバー本体１０は、ゲーム機であるスロットマシーン台４０に対面して配置された椅子３０の背もたれ３１に取り付けられている。このカバー本体１０は、上方が湾曲した略長方形の同型の前面シート１１と背面シート１２を構成し、これらシート１１、１２の周縁を張り合わせて、下端が開放した袋状に作成する。
前記シート１１、１２はメッシュ状の黒色の生地で作成したが、材質や大きさ、色彩は任意に決定できる。
【００１０】
このカバー本体１０の背面シート１２の表面には、透明ビニール１４を取り付けてポケット１５を構成する。このポケット１５には話題になっている遊技機種や各種イベントに合わせた広告宣伝用のチラシ２５を収納している。
前記ポケット１５を構成する材質は透明ビニール１４に限定されず、半透明ビニールあるいはネット等のポケット１５内のチラシ２５が視認できる材質によって構成することができるのである。
【００１１】
前記カバー本体１０の下端以外の周縁１３上多数のＬＥＤ２１，２１・・を固定し、さらにこのＬＥＤ２１，２１・・を上から覆う透明ビニール製の保護体２２を構成した。この保護体２２はＬＥＤ２１，２１・・を破損から保護すると共に、後述のようにＬＥＤ２１，２１・・の光を拡散するのである。前記ＬＥＤ２１，２１・・は、すべて一色に統一しても良いが、異なった色のＬＥＤを混在して用いることもできる。
【００１２】
一方、前記ＬＥＤ２１，２１・・の電源となる電池ボックス２４を構成し、前記背面シート１２の内側に構成した電池ボックス収納袋１６に収納する。図中２３は電池ボックス２４とＬＥＤ２１，２１・・を連結するコードである。
なお前記電源は電池ボックス２４に限定されず、図示はしないが通常のコンセントから得ることもできるものとする。
【００１３】
次に、本実施形態の作用について説明する。
椅子３０の背もたれ３１にカバー本体１０を被せて電池ボックス２４のスイッチ（図示せず）を押してＬＥＤ２１，２１・・を点灯する。点灯されたＬＥＤ２１，２１・・の光は、保護体２２によって乱反射し拡散されるのでより明るく見え、装飾効果も大きくなるのである。
このとき、ＬＥＤ２１，２１・・を点滅させれば一層人目を引くものとなりアピール効果が増大される。
【００１４】
一般にゲーム機用の椅子は、コース入り口から視点に対するアピール性に乏しかった。しかし本実施形態によれば、図４に示すように各椅子３０のカバー本体１０にＬＥＤ２１，２１・・を点灯しているため、外から見たときに一列に並んだ椅子３０，３０・・による光の通路ができるため美麗であると共に、店内が明るくなりアピール効果も奏するのである。
さらにＬＥＤ２１，２１・・の色彩を一色でなく多色混在させることによって、装飾効果や宣伝効果が増すのである。
【００１５】
また、コインが一定数、例えば３０００個を超えて出た場合には緑色のＬＥＤ２１，２１・・を設けたカバー本体１０に交換し、さらに７０００個を超えた場合には赤色のＬＥＤ２１，２１・・を設けたカバー本体１０に交換するというように、客が出したコインの数によってカバー本体１０を交換すれば、コインが良く出る店であることをアピールすることができる。
【００１６】
また、背面側のポケット１５には、チラシ２５を入れてあるが、これはＬＥＤ２１，２１・・の点灯により明るく照らされるので人目につき、分かりやすくなり宣伝効果を奏するのである。
【図面の簡単な説明】
【００１７】
【図１】本発明の第１実施形態の正面図
【図２】本発明の第１実施形態の背面図
【図３】本発明の第１実施形態の使用態様を示す斜視図
【図４】本発明の第１実施形態の使用態様を示す斜視図
【符号の説明】
【００１８】
１０  カバー本体
１１  前面シート
１２  背面シート
１４  透明ビニール
１５  ポケット
１６  電池ボックス収納袋
２１  ＬＥＤ（発光体）
２２  保護体
２３  コード
２４  電池ボックス
２５  チラシ（広告宣伝資料）
３０  椅子
３１  背もたれ
４０  ゲーム機
【図１】
2008212394.tif 000003
【図２】
2008212394.tif 000004
【図３】
2008212394.tif 000005
【図４】
2008212394.tif 000006